(57)【要約】【課題】紙袋の袋口等なを簡単にクリップ可能にすること、繰り返し使用なクリップとすること、意匠性に優れるクリップとすること、２つのクリップを結合して使用可能にすることなどを目的とする。【解決手段】クリップ対象物をクリップする為の合成樹脂製クリップ１であって、クリップ対象物を挟持する為のクリップ本体２と、クリップ本体をクリップ状態にするクリップ位置とクリップ解除状態にするクリップ解除位置とに亙って直線的にスライド可能な操作部材３とで構成され、クリップ本体２は上端部が可撓ヒンジで連結された１対の押え片２０Ａ，２０Ｂを有し、操作部材３は１対の押え片２０Ａ，２０Ｂの外面を押圧する相対向する１対き押圧片３０Ａ，３０Ｂを備え、操作部材３の外側からの押圧力で、押え片２０Ａ，２０Ｂの内面の摩擦付与面２３Ａ，２３Ｂによりクリップ対象物を挟持する。【選択図】  図１
0003128687.tif 000002
【実用新案登録請求の範囲】
【請求項１】
クリップ対象物をクリップする為の合成樹脂製クリップにおいて、
クリップ対象物を挟持する為のクリップ本体と、
前記クリップ本体に取り付けられクリップ作動とクリップ解除用の操作部材であって、クリップ本体をクリップ状態にするクリップ位置とクリップ解除状態にするクリップ解除位置とに亙って直線的にスライド可能な操作部材とを備えた、
ことを特徴とする合成樹脂製クリップ。
【請求項２】
前記クリップ本体は、１対の相対向する押え片と、この１対の押え片の一端部同士を連結して１対の押え片を開閉可能にする可撓ヒンジと、１対の押え片の相対向する内面に夫々形成された摩擦付与面と、前記操作部材をクリップ位置とクリップ解除位置とに亙ってスライド可能に案内する案内部とを一体形成したことを特徴とする請求項１に記載の合成樹脂製クリップ。
【請求項３】
前記操作部材は、クリップ位置のとき１対の押え片の外面を夫々押圧する相対向する平行な１対の押圧片と、これら押圧片の一端部を一体的に連結する連結片と、前記クリップ本体の案内部で案内される被案内部とを備えたことを特徴とする請求項２に記載の合成樹脂製クリップ。
【請求項４】
前記第１の合成樹脂製クリップを、別の同種の第２の合成樹脂製クリップと抱き合わせた状態に連結可能にする為に、前記第１の合成樹脂製クリップの操作部材の一方の押圧片には、前記第２の合成樹脂製クリップの操作部材の第２のホックに解除可能に嵌合する第１のホックが形成されたことを特徴とする請求項３に記載の合成樹脂製クリップ。
【請求項５】
前記クリップ本体の一方の押え片の摩擦付与面には断面三角形の複数の突条が前記可撓ヒンジと平行に形成され、他方の押え片の摩擦付与面には前記複数の突状に対応する複数の凹溝が形成されたことを特徴とする請求項２〜４の何れかに記載の合成樹脂製クリップ。
【考案の詳細な説明】
【技術分野】
【０００１】
本考案は、主に手さげ付き紙袋の開口部をクリップするのに適した着脱式合成樹脂製クリップに関するものである。
【背景技術】
【０００２】
従来から、各種商品の販売店において商品の包装の為に手さげ付き紙袋が広く用いられており、この種の手提げ付き紙袋は、丈夫で耐久性があり、優れたデザインのものも多いため、繰り返し使用されることが多い。その他、物品を収納して持ち運びする為にも、種々の手さげ付き紙袋が広く用いられている。
【０００３】
従来、商店やデパート等では、手提げ付き紙袋の袋口の１，２個所をテープやシールで閉じる方式が広く採用されているが、紙袋の袋口を閉じるのに好適のクリップは未だ実用に供されていない。但し、特許文献には、手さげ付き紙袋や手提袋等の袋口の閉鎖に用いる袋口閉じ具が提案されている。
例えば、特許文献１には、手さげ付き紙袋への取付け、取外しを容易に行うことができ、紙や合成樹脂シート等のシート材料で安価に製作できる手提袋等の袋口閉じ具が提案されている。この袋口閉じ具はシート材を屋根形に折り曲げ、その頂部に手さげを通す開口スリットを形成し、開口スリットに手さげを通して袋口閉じ具を紙袋の上端部分に被せるように構成したものである。
【０００４】
特許文献２には、手さげ付き紙袋の袋口を閉鎖でき、袋口を閉鎖した状態でも、手提袋内の収納状態を外部から見ることができる手提げ付き紙袋等の袋口閉じ具であって、紙や樹脂シート等を折り曲げて製作したものが提案されている。
この袋口閉じ具は、大きな矩形状の袋口を覆う為に、矩形状のシート材の両端部に立ち上げた逆溝形断面の係合部であって袋口の両端部に係合する係合部を形成し、その１対の係合部に手さげを通す開口スリットを夫々形成したものである。
【０００５】
【特許文献１】実公平７−３９７９９号公報
【特許文献２】特開平１０−２０３５４１号公報
【考案の開示】
【考案が解決しようとする課題】
【０００６】
特許文献１の袋口閉じ具は、紙や合成樹脂シート等のシート材料で簡単に低コストで製作できるが、この袋口閉じ具は袋口を上面側から完全に覆って閉鎖する構成であるため、収納物の出し入れの際、袋口閉じ具を取り外す必要があるため利便性に欠ける。
【０００７】
特許文献２の袋口閉じ具は、手さげ付き紙袋の矩形の開口部全体を矩形を保持したまま覆う構造であるため、袋口閉じ具を装着すると、手提げ付き紙袋が収納物の多少に関わらず常に直方体の形状となって嵩張ってしまう。また、収納物を出し入れする際、特許文献１の袋口閉じ具と同様に袋口閉じ具を取り外す必要があるため利便性に欠ける。
【０００８】
他方、デパート等において広く採用されているように、紙袋の開口部の１，２個所をテープやシールを用いて閉じる方式では、収納物を取り出す際に、テープやシールを剥がすのが面倒であること、テープやシールを剥がす際に紙袋を傷付け易いこと、一旦収納物を取り出すとそのテープやシールは使用不能となって袋口を封鎖できなくなること、等の問題がある。
【０００９】
本考案の目的は、紙袋の袋口を簡単にクリップ可能で簡単に着脱可能な合成樹脂製クリップを提供すること、繰り返し使用可能な合成樹脂製クリップを提供すること、意匠性に優れる合成樹脂製クリップを提供すること、２つのクリップを組み合わせて使用可能な合成樹脂製クリップを提供することなどである。
【課題を解決するための手段】
【００１０】
請求項１の合成樹脂製クリップは、クリップ対象物を挟持する為のクリップ本体と、前記クリップ本体に取り付けられクリップ作動とクリップ解除用の操作部材であって、クリップ本体をクリップ状態にするクリップ位置とクリップ解除状態にするクリップ解除位置とに亙って直線的にスライド可能な操作部材とを備えたことを特徴としている。
【００１１】
クリップ対象物に装着する際、操作部材をクリップ解除位置に保持して、クリップ本体でクリップ対象物を挟み、操作部材をクリップ解除位置からクリップ位置に直線的にスライドさせることで、クリップ対象物を簡単にクリップするクリップ状態にすることができ、また、操作部材をクリップ位置からクリップ解除位置に直線的にスライドさせることで切換えると、簡単にクリップ解除状態にすることができる。
【００１２】
請求項２の合成樹脂製クリップは、請求項１の考案において、前記クリップ本体は、１対の相対向する押え片と、この１対の押え片の一端部同士を連結して１対の押え片を開閉可能にする可撓ヒンジと、１対の押え片の相対向する内面に夫々形成された摩擦付与面と、前記操作部材をクリップ位置とクリップ解除位置とに亙ってスライド可能に案内する案内部とを備えたことを特徴としている。
【００１３】
請求項３の合成樹脂製クリップは、請求項２の考案において、前記操作部材は、クリップ位置のとき１対の押え片の外面を夫々押圧する相対向する平行な１対の押圧片と、これら押圧片の一端部を一体的に連結する連結片と、前記クリップ本体の案内部で案内される被案内部とを一体形成したことを特徴としている。
【００１４】
請求項４の合成樹脂製クリップは、請求項３の考案において、前記第１の合成樹脂製クリップを、別の同種の第２の合成樹脂製クリップと抱き合わせた状態に連結可能にする為に、前記第１の合成樹脂製クリップの操作部材の一方の押圧片には、前記第２の合成樹脂製クリップの操作部材の第２のホックに解除可能に嵌合する第１のホックが形成されたことを特徴としている。
【００１５】
請求項５の合成樹脂製クリップは、請求項２〜４の何れかの考案において、前記クリップ本体の一方の押え片の摩擦付与面には断面三角形の複数の突条が可撓ヒンジと平行に形成され、他方の押え片の摩擦付与面には前記複数の突状に対応する複数の凹溝が形成されたことを特徴としている。
【考案の効果】
【００１６】
請求項１の合成樹脂製クリップによれば、クリップ本体と、このクリップ本体に取り付けられた操作部材の２つの部品を組み合わせて構成され、クリップ対象物に装着する際、操作部材をクリップ解除位置に保持して、クリップ本体でクリップ対象物を挟み、操作部材をクリップ解除位置からクリップ位置に直線的にスライドさせることで、クリップ対象物を簡単にクリップするクリップ状態に簡単に切換えることができ、また、操作部材をクリップ位置からクリップ解除位置に直線的に切換えると、簡単にクリップ解除状態にすることができる。
【００１７】
クリップ対象物をクリップ本体で挟む構造であるから、クリップ対象物の厚さが異なってもクリップできるうえ、繰り返し使用できるため汎用性に優れ、操作部材を直線的にスライドさせる構造であるため操作性にも優れ、クリップ解除する際に紙袋を損傷することなく、クリップは合成樹脂製のものであるので安価に製作できるうえ、意匠性に優れるクリップにすることも容易である。
【００１８】
請求項２の合成樹脂製クリップによれば、クリップ本体は、１対の押え片の一端部同士を連結して１対の押え片を開閉可能にする可撓ヒンジを備えるので、クリップ対象物が厚い場合でも簡単に装着することができるうえ、ヒンジの構造を簡単化することができる。  クリップ本体の１対の押え片の相対向する内面に摩擦付与面が夫々形成されているので、クリップがクリップ対象物から離脱しにくく、信頼性に優れる。操作部材をクリップ位置とクリップ解除位置とに亙って案内する案内部を設けたので、操作部材をクリップ位置とクリップ解除位置とに亙って確実に位置切換えできる。
【００１９】
請求項３の合成樹脂製クリップによれば、前記操作部材は、相対向する平行な１対の押圧片と、これら押圧片の一端部を一体的に連結する連結片と、被案内部とを一体形成したものであるので、操作部材の構造が簡単になり、安価に製作することできる。クリップ本体の１対の押え片の外面を１対の押圧片で夫々押圧する構造であるので、強力なクリップ力を発生することができる。操作部材の被案内部を、クリップ本体の案内部で案内する構造であるので、操作部材をクリップ位置とクリップ解除位置とに亙って切換える際に円滑に作動する。
【００２０】
請求項４の合成樹脂製クリップによれば、第１の合成樹脂製クリップを、別の同種の第２の合成樹脂製クリップと抱き合わせた状態に連結可能にする為に、前記操作部材の一方の押圧片には、前記第２の合成樹脂製クリップの第２のホックに解除可能に嵌合する第１のホックが形成されたので、２つの第１，第２の合成樹脂製クリップを抱き合わせた状態で第１，第２のホック同士を嵌合すれば強力に連結することができる。
【００２１】
即ち、紙袋の袋口の一方の上端辺と他方の上端辺とに夫々第１，第２クリップを装着し、それら第１，第２のクリップの第１，第２のホックを結合することにより、１対の第１，第２クリップを用いて紙袋の袋口を閉じることができる。
この場合、意匠性に優れる第１，第２のクリップを採用する場合には、クリップが機能部品としてだけでなく、装飾品としても有効である。クリップはクリップ本体と操作部材から成るが、ホックのサイズが異なる２種類の操作部材を製作すればよく、クリップ本体は共通品でよいので、製作費の面で有利である。
【００２２】
請求項５の合成樹脂製クリップによれば、クリップ本体の一方の押え片の摩擦付与面には断面三角形の複数の条を、他方の押え片の摩擦付与面には前記複数の突条に対応する複数の凹溝を形成したので、紙袋の端部を複数の突条と複数の凹溝との間に噛み込む状態にクリップすることができるため、クリップが離脱する虞がなく、作動確実性と信頼性に優れる。
【考案を実施するための最良の形態】
【００２３】
本考案に係る合成樹脂製クリップは、クリップ対象物（手さげ付き紙袋等の袋口）を挟持する為のクリップ本体と、このクリップ本体に取り付けられクリップ作動とクリップ解除用の操作部材であって、クリップ本体をクリップ状態にするクリップ位置とクリップ解除状態にするクリップ解除位置とに亙って直線的にスライド可能な操作部材とを備えたものである。
【実施例１】
【００２４】
以下、本考案の実施例について図面を参照して説明する。
本実施例の合成樹脂製クリップ１は、手さげ付き紙袋の上端部の袋口（クリップ対象物）をクリップするのに好適のものであるが、この用途以外にも使用可能なものである。
図１は、この合成樹脂製クリップ１（クリップ解除状態）を左後方から視た斜視図であり、図１に示すように、上方、左方、後方を定義して以下説明する。
図１〜図６に示すように、合成樹脂製のクリップ１は、クリップ対象物を挟持する為のクリップ本体２と、クリップ本体２に取り付けられクリップ作動とクリップ解除用の操作部材３であって、クリップ本体２をクリップ状態にするクリップ位置とクリップ解除状態にするクリップ解除位置とに亙って直線的にスライド可能な操作部材３とを備えている。  
【００２５】
クリップ本体２は、１対の相対向する押え片２０Ａ，２０Ｂと、この１対の押え片２０Ａ，２０Ｂの上端部同士を連結して１対の押え片２０Ａ，２０Ｂを開閉可能にする可撓ヒンジ２１と、１対の押え片２０Ａ，２０Ｂの相対向する内面に夫々形成された摩擦付与面２３Ａ，２３Ｂと、操作部材３をクリップ位置とクリップ解除位置とに亙ってスライド可能に案内する案内片２４，２４とを一体形成してある。
【００２６】
図１〜図６に示すように、操作部材３は、クリップ位置のとき１対の押え片２０Ａ，２０Ｂの外面を夫々押圧する相対向する平行な１対の押圧片３０Ａ，３０Ｂと、これら押圧片３０Ａ，３０Ｂの一端部を一体的に連結する連結片３１と、クリップ本体２の案内片２４で案内される被案内部３３，３３とを備えている。
第１の合成樹脂製クリップ１を、別の同種の第２の合成樹脂製クリップ１’と抱き合わせた状態に連結可能にする為に、操作部材３の一方の押圧片３０Ｂには、第２のクリップ１’の操作部材３’の第２のホック３８’に解除可能に嵌合する第１のホック３８が形成されている（図７参照）。
【００２７】
後側の押え片２０Ｂの摩擦付与面２３Ｂには断面三角形の複数の突条３６ａ，３６ｂが可撓ヒンジ２１と平行に形成され、前側の押え片２０Ａの摩擦付与面２３Ａには複数の突状３６ａ，３６ｂに対応する複数の凹溝３７ａ，３７ｂが形成されている。
【００２８】
クリップ本体２は、例えば、ポリプロピレン又はスチレンブタジエン等の強度に優れる合成樹脂材料で構成された成形品であるが、その他の合成樹脂材料で構成してもよい。
可撓ヒンジ２１は、前側の押え片２０Ａと後側の押え片２０Ｂを開閉可能に連結するものであり、前後方向の中央部に山折れ状の折線部を有する可撓性のある薄肉部で構成されている。
【００２９】
押え片２０Ａの外面の左右両端部には、操作部材３の押圧片３０Ａの前後両端を昇降自在に案内するように増厚された１対のガイド部２２Ａ（第１の案内部）が形成されており、ガイド部２２Ａは押え片２０Ａの剛性を高める機能もある。押え片２０Ｂの外面の左右両端部には、操作部材３の押圧片３０Ｂの前後両端を昇降自在に案内するように増厚された１対のガイド部２２Ｂ（第２の案内部）が形成されており、ガイド部２２Ｂは押え片２０Ｂの剛性を高める機能もある。
【００３０】
図１〜図４に示すように、１対のガイド部２２Ａの間において、押え片２０Ａの前面の下半部は、下方ほど押え片２０Ｂ側へ接近するように緩傾斜面３０ａに形成されている。１対のガイド部２２Ｂの間において、押え片２０Ｂの後面は、鉛直面に形成されている。  ガイド部２２Ａは、本実施例では左右方向の幅約３ｍｍ、厚さ約１．５ｍｍに形成されているが、ガイド部２２Ａの下半部の厚さは下方ほど薄くなっている。ガイド部２２Ｂは、本実施例では幅約５ｍｍ、厚さ約１．５ｍｍに形成されている。ガイド部２２Ｂは一定厚さに形成されている。
【００３１】
クリップ本体２の摩擦付与面２３Ｂには、断面三角形の８個の突条３６ａ，３６ｂが水平向きに形成されており、上側の３つの突条３６ａは、突出高さの大きな大形突条に形成され、残りの５つの突条３６ｂは、突条３６ａよりも突出高さが小さな小形突条に形成されている。摩擦付与面２３Ａには、８個の突条３６ａ，３６ｂに対応する７個の凹溝３７ａ，３７ｂが形成されており、突条３６ａに対応する３つの凹溝３７ａは、突条３６ｂに対応する５つの凹溝３７ｂよりも前方へ段落ち状に形成されている。
【００３２】
この押え片２０Ａと押え片２０Ｂの間に手提げ付き紙袋Ｋの袋口Ｋａ（クリップ対象物）を挟んで、操作部材３を図１、図３に示すクリップ解除位置から図２、図４に示すクリップ位置へ移動させると、摩擦付与面２３Ａと摩擦付与面２３Ｂの間で袋口Ｋａをしっかり挟持し、手で引っ張っても簡単に外れることはない（図５参照）。
【００３３】
次に、操作部材３について説明する。
図１〜図６に示すように、操作部材３は、本実施例ではポリカーボネート等の軽量で耐衝撃性や耐久性に優れた合成樹脂材料で構成される成形品であるが、その他の合成樹脂材料で構成してもよい。操作部材３は、前側の押圧片３０Ａと後側の押圧片３０Ｂの上端部が連結片部３１で一体的に接続されている。前側の押圧片３０Ａは１枚の板状に形成されるが、押圧片３０Ａは１対のガイド部２２Ａ案内される被案内部としても機能するものである。
【００３４】
押圧片３０Ａの下端部には後方へ突出した厚さの小さな水平リブ３０ｂが形成され、操作部材３をクリップ位置と、クリップ解除位置とに亙ってスライドさせる際に、押圧片３０Ａ側では、水平リブ３０ｂの先端部だけが押え片２０Ａに接触し、押圧片３０Ａが広く面接触しないため摩擦力が小さくなる。しかも、操作部材３を図２，図４に示すようにクリップ位置に切換えた状態では、水平リブ３０ｂが緩傾斜面３０ａを押圧する状態となるため、操作部材３がクリップ解除位置へ移動しにくくなる。
【００３５】
後側の押圧片３０Ｂは、左右方向の中央部に形成された押圧片本体３２と、１対のスリット３０ｃを隔ててその両側に形成された帯状の被案内部３３とを有する。
押え片２０Ｂの外面の上部には、左右１対の被案内部３３を案内する左右１対のＬ形の案内片２４（第３の案内部）が一体形成され、左側の案内片２４と左側のガイド部２２Ｂとで左側の被案内部３３を案内する案内部が形成され、右側の案内片２４と右側のガイド部２２Ｂとで右側の被案内部３３を案内する案内部が形成されている。
【００３６】
被案内部３３の下端部には、上端に水平な係止面３４ａを有すると共に後面をテーパ面３４ｂに形成した係止部３４が一体的に形成され、この係止部３４は組立時には上方から案内片２４に挿入可能であるが、操作部材３をクリップ解除位置に切換えた状態では係止部３４により抜け止めされるようになっている。
【００３７】
連結片部３１の内側には、操作部材３をクリップ位置に切換えた状態のとき、クリップ本体２の可撓ヒンジ２１を逃すための溝３５が形成されており、操作部材３をクリップ位置にした状態では、連結片部３１の内面が前後１対の押え片２０Ａ，２０Ｂの上端に当接する。
【００３８】
ここで、押圧片本体３２の下部にはほぼ短円筒状のプラスチックホック３６が後方向きに形成され、押圧片本体３２の上部には左右１対の補強リブ３２ａが形成されている。
この合成樹脂製クリップ１は、単独で使用可能なものであるが、ホック３５のサイズのみ異なる第１，第２のクリップ１，１’を組み合わせて使用可能に構成されている。第１，第２のクリップ１，１’のクリップ本体２，２は同サイズ・同構造のものであるが、第２クリップ１’の操作部材３’のホック３８’は、第１のクリップ１の操作部材３のホック３８に係合・係合解除可能に構成されている。
【００３９】
以上説明した合成樹脂クリップ１（叉はクリップ１’）の作用、効果について説明する。このクリップ１は、単独でも使用可能であり、袋口Ｋａをクリップする用途、ネームプレートを背広のポケット口にクリップする用途、書類やパンフレットやカタログ等をクリップする用途、その他の種々の用途に適用可能なものである。
【００４０】
このクリップ１により紙袋Ｋの袋口Ｋａをクリップする際には、操作部材３をクリップ解除位置に保持した状態で、クリップ本体２の１対の押え片２０Ａ，２０Ｂの間に袋口Ｂａの２枚のシートを差し込んでから、操作部材３をクリップ本体２に対して相対的に下方へ直線的に移動させてクリップ位置にすると、クリップ本体２がクリップ状態になり、袋口Ｋａが１対の押え片２０Ａ，２０Ｂで強力に挟持され、突条３６ａ，３６ｂと凹溝３７ａ，３７ｂとが袋口Ｋａに僅かに噛み込むため、クリップ１が不意に離脱しない。
【００４１】
このクリップ１を取り外す際には、操作部材３をクリップ本体２に対して相対的に上方へ直線的に移動させてクリップ解除位置にすると、操作部材３が図１、図３に示すようなクリップ解除位置になり、クリップ本体２がクリップ解除状態になる。
【００４２】
クリップ１，１’を組み合わせて使用する場合、第１，第２のクリップ１，１’のホック３８，３８’を係合可能となるように袋口Ｋａに対するクリップ１，１’の位置を設定し、第１のクリップ１により袋口Ｋａの一方のシートをクリップし、第２のクリップ１’により袋口Ｋａの他方のシートをクリップしてから、ホック３８，３８’を係合させると、第１，第２クリップ１，１’が結合状態になるので、袋口Ｋａを確りクリップすることができる。厚手の袋の場合には、１つのクリップ１叉は１’で袋口Ｋａの２枚のシートをクリップしにくいので、このように第１，第２のクリップ１，１’を用いてクリップすることができる。
【００４３】
この合成樹脂製クリップ１では、クリップ対象物をクリップ本体２で挟む構造であるから、クリップ対象物の厚さが異なってもクリップできるうえ、繰り返し使用できるため汎用性に優れ、操作部材を直線的にスライドさせる構造であるため操作性にも優れ、クリップ解除する際に紙袋を損傷することなく、クリップ１は合成樹脂製のものであるので安価に製作できるうえ、意匠性に優れるクリップ１に構成することも容易である。
【００４４】
クリップ本体２は、１対の押え片２０Ａ，２０Ｂの一端部同士を連結して１対の押え片２０Ａ，２０Ｂを開閉可能にする可撓ヒンジ２１を備えるので、クリップ対象物が厚い場合でも簡単に装着することができるうえ、可撓ヒンジ２１の構造を簡単化することができる。クリップ本体２の１対の押え片２０Ａ，２０Ｂの相対向する内面に摩擦付与面２３Ａ，２３Ｂが夫々形成されているので、クリップ１がクリップ対象物から離脱しにくく、信頼性に優れる。操作部材をクリップ位置とクリップ解除位置とに亙って案内する案内部２２Ａ，２２Ｂ，２４を設けたので、操作部材３をクリップ位置とクリップ解除位置とに亙って確実に位置切換えできる。
【００４５】
操作部材３は、相対向する平行な１対の押圧片３０Ａ，３０Ｂと、これら押圧片３０Ａ，３０Ｂの一端部を一体的に連結する連結片３１と、被案内部３３とを一体形成したものであるので、操作部材３の構造が簡単になり、安価に製作することできる。
【００４６】
クリップ本体２の１対の押え片２０Ａ，２０Ｂの外面を１対の押圧片３０Ａ，３０Ｂで夫々押圧する構造であるので、強力なクリップ力を発生することができる。操作部材３の被案内部３３を、クリップ本体２の案内部２２Ｂ，２４で案内する構造であるので、操作部材３をクリップ位置とクリップ解除位置とに亙って切換える際に円滑に作動する。
【００４７】
前記のように、紙袋Ｋの袋口Ｋａの一方の上端部と他方の上端部とに夫々第１，第２クリップ１，１’を装着し、それら第１，第２のクリップ１，１’の第１，第２のホック３８，３８’を結合することにより、１対の第１，第２クリップ１，１’を用いて紙袋Ｋの袋口Ｋａを閉じることができる。この場合、意匠性に優れる第１，第２のクリップ１，１’を採用する場合には、クリップが機能部品としてだけでなく、装飾品としても有効である。クリップ１，１’はクリップ本体２と操作部材３，３’から成るが、ホック３８，３８’のサイズが異なる２種類の操作部材３，３’を製作すればよく、クリップ本体２は共通品でよいので、製作費の面で有利である。
【００４８】
クリップ本体２の一方の押え片２０Ｂの摩擦付与面２３Ｂには断面三角形の複数の突条３６ａ，３６ｂを、他方の押え片２０Ａの摩擦付与面２３Ａには複数の突条３６ａ，３６ｂに対応する複数の凹溝３７ａ，３７ｂを形成したので、紙袋Ｋの端部を複数の突条３６ａ，３６ｂと複数の凹溝３７ａ，３７ｂとの間に噛み込む状態にクリップすることができるため、クリップ１が離脱する虞がなく、作動確実性と信頼性に優れる。
【００４９】
本考案は前記実施例に限定されるものではなく、クリップ１のサイズはクリップ１の用途に応じて適宜設定される。また、操作部材３を案内する案内部の構造も、前記実施例のものに限定されるものではなく、例えば、押圧片３０Ｂをスリット３０ｃのない板状の構造にし、押圧片３０Ｂの前後両端部をガイド部２２Ｂの溝にスライド可能に係合させる構造にし、同様に、押圧片３０Ａ前後両端部をガイド部２２Ａの溝にスライド可能に係合させる構造にしてもよい。
その他、当業者であれば、前記実施例に種々の変更を付加した形態で実施可能であり、本考案はそのような種々の変更形態をも包含するものである。
【図面の簡単な説明】
【００５０】
【図１】本考案の実施例の合成樹脂製クリップ（クリップ解除状態）の斜視図である。
【図２】前記クリップ（クリップ状態）の斜視図である。
【図３】前記クリップ（クリップ解除状態）の左側面図である。
【図４】前記クリップ（クリップ状態）の左側面図である。
【図５】前記クリップ（クリップ解除状態）背面図である。
【図６】前記クリップ（クリップ解除状態）の背面図である。
【図７】１対のクリップ（クリップ状態、ホック係合状態）の断面図である。
【図８】手提げ付き紙袋Ｋの袋口を１対のクリップでクリップした状態を示す斜視図である。
【符号の説明】
【００５１】
１        合成樹脂製クリップ
２        クリップ本体
３，３’          操作部材
２０Ａ，２０Ｂ    押え片
２１              ヒンジ
２２Ａ，２２Ｂ    ガイド部
２３Ａ，２３Ｂ    摩擦付与面
２４              案内片
３０Ａ，３０Ｂ    押圧片
３１      連結片部
３２ａ    補強リブ
３３      被案内部
３４      係止部
３８，３８’  ホック
３５  溝
【図１】
0003128687.tif 000003
【図２】
0003128687.tif 000004
【図３】
0003128687.tif 000005
【図４】
0003128687.tif 000006
【図５】
0003128687.tif 000007
【図６】
0003128687.tif 000008
【図７】
0003128687.tif 000009
【図８】
0003128687.tif 000010